(57)【要約】【課題】会員カードを用いないで、せり会場で行われる中古車せりに参加できるようにする。【解決手段】中古車せりシステム１は、受付端末２と、せり制御装置３と、携帯端末４とを備えている。受付端末２は、せり会場に来場した会員５が来場者登録の受付を行うものである。せり制御装置３は、会員５から提示された会員識別子およびパスワードに合致する情報が記憶部３ｂにあるかどうかを判断する会員情報処理部３ａと、当開催のみに有効な認証識別子を生成する認証識別子生成部３ｃと、生成された認証識別子を会員５の所持する携帯端末４へ送信する認証識別子送信部３ｄとを有している。携帯端末４が受信した認証識別子は、せり端末にチェックインするとき、および、出庫受付端末で受付するときに使用される。【選択図】図１
2018181011.tif 000002
【特許請求の範囲】
【請求項１】
せり会場に設置されて会員の来場者登録の受付を行う受付端末と、
前記会員の会員登録のときに事前設定された会員識別子およびパスワードを、登録会員識別子および登録パスワードとして記憶部へ記憶するとともに、前記会員の来場者登録の受付のときに前記会員から提示された会員識別子およびパスワードに合致する前記登録会員識別子および前記登録パスワードが前記記憶部にあるかどうかの確認要求を受けて確認結果を出力する会員情報処理部、前記会員識別子および前記パスワードが前記登録会員識別子および前記登録パスワードと合致したとの前記確認結果が出されたときに、当開催のみに有効な認証識別子を生成する認証識別子生成部、および、前記認証識別子生成部で生成された前記認証識別子を送信する認証識別子送信部を有するせり制御装置と、
前記認証識別子送信部が送信した前記認証識別子を受信することができる認証識別子受信部、および、せり操作を行うせり端末でチェックインするときおよび落札した車両の出庫手続を行う出庫受付端末で受付をするときに使用するために前記認証識別子受信部が受信した前記認証識別子を表示する表示部を有する携帯端末と、
を備えた、中古車せりシステム。
【請求項２】
前記せり制御装置は、当開催のみに有効な受付ＵＲＬ情報を生成する受付ＵＲＬ生成部を有し、
前記受付端末に、前記受付ＵＲＬ情報を表示させ、
前記携帯端末に、前記受付端末に表示された前記受付ＵＲＬ情報を読み取らせ、前記受付ＵＲＬ情報の宛先に前記確認要求を送信させ、前記せり制御装置からの前記認証識別子を受信して表示させる、
請求項１記載の中古車せりシステム。
【請求項３】
前記受付ＵＲＬ情報は、受付ＵＲＬの情報を表す１次元バーコードおよび２次元バーコードおよび受付ＵＲＬの情報が埋め込まれた電子透かし映像および電子透かし画像のうちの少なくとも１つである、請求項２記載の中古車せりシステム。
【請求項４】
前記携帯端末は、前記せり制御装置に送信する前記会員識別子を設定データテーブルに保持し、前記せり制御装置に送信する前記パスワードを前記会員に入力させる、請求項２記載の中古車せりシステム。
【請求項５】
前記せり制御装置は、前記認証識別子生成部が生成した前記認証識別子を前記記憶部に記憶させるときに前記認証識別子の有効期限を登録し、前記認証識別子送信部が前記認証識別子を送信するときに前記有効期限も同時に送信する、請求項２記載の中古車せりシステム。
【請求項６】
前記せり制御装置は、前記記憶部に使用言語を登録しておき、前記携帯端末に前記会員識別子の前記確認結果を送信するときに前記使用言語を一緒に送信する、請求項２記載の中古車せりシステム。
【請求項７】
前記携帯端末上に表示される前記認証識別子は、１次元バーコード、２次元バーコード、電子透かし映像および電子透かし画像のうちの少なくとも１つである、請求項２記載の中古車せりシステム。
【請求項８】
前記会員の来場者登録の受付を行うときに前記受付端末が前記会員識別子および前記パスワードの前記確認要求を前記せり制御装置に送出し、
前記せり制御装置では生成した前記認証識別子を前記記憶部に登録しておいた前記携帯端末で受信可能なメールアドレスの宛先に電子メールで送信し、
前記携帯端末では受信した前記電子メールを開封することにより前記認証識別子を取得する、
請求項１記載の中古車せりシステム。
【請求項９】
前記せり制御装置は、前記認証識別子生成部が生成した前記認証識別子を前記記憶部に記憶させるときに前記認証識別子の有効期限を登録し、前記認証識別子送信部が前記認証識別子を送信するときに前記有効期限も同時に送信し、前記受付端末に受付完了を通知する、請求項８記載の中古車せりシステム。
【発明の詳細な説明】
【技術分野】
【０００１】
本発明は、中古車のせり会場にて会員カードを用いないで中古車せりに参加することができる中古車せりシステムに関する。
【背景技術】
【０００２】
中古車をせり会場に集めてせりを行う中古車せりシステムが知られている。バイヤーは、せりに参加する際、まず、せり会場の受付端末で来場者登録の受付を行い、せり端末にチェックインして応札スイッチを操作することでせりに参加し、落札できた場合は、出庫受付端末で受付をして落札車両を搬出することになる。ここで、受付端末、せり端末および出庫受付端末を操作するときには、あらかじめ会員登録しておいた会員カードが用いられる。会員カードには、会員の情報が記録された磁気テープやＩＣチップが埋め込まれており、バイヤーは、受付端末、せり端末または出庫受付端末に会員カードを挿入またはかざして本人確認を行ってからそれぞれの端末を利用している。
【先行技術文献】
【特許文献】
【０００３】
【特許文献１】特開２００２−２０３１４０号公報
【発明の概要】
【発明が解決しようとする課題】
【０００４】
バイヤーは、一般にせり会場ごとの会員カードを複数所持しているので、せり会場に来場するときに、開催会場の会員カードを持ってこなかったり他の会場の会員カードを誤って持ってきたりすることがある。このような場合、仮の会員カードを借りたり会員カードを再発行したりという手続が発生するので、来場者登録の受付の際に、それらの手続のために時間がかかってしまう。また、会員カードを紛失したり盗難にあったりした場合には、盗難会員カードや偽造会員カードを用いたなりすまし応札による不正なせり上げ行為が起こり得るという問題があった。
【０００５】
本発明はこのような点に鑑みてなされたものであり、会員カードを用いないで、せり会場で行われる中古車せりに参加することができる中古車せりシステムを提供することを目的とする。
【課題を解決するための手段】
【０００６】
本発明では、上記の課題を解決するために、受付端末と、せり制御装置と、携帯端末とを備えた中古車せりシステムが提供される。この中古車せりシステムにおいて、受付端末は、せり会場に設置されて会員の来場者登録の受付を行う。せり制御装置は、会員情報処理部、認証識別子生成部および認証識別子送信部を有する。会員情報処理部は、会員の会員登録のときに事前設定された会員識別子およびパスワードを登録会員識別子および登録パスワードとして記憶部へ記憶する。会員情報処理部は、また、会員の来場者登録の受付のときに会員から提示された会員識別子およびパスワードに合致する登録会員識別子および登録パスワードが記憶部にあるかどうかの確認要求を受けて確認結果を出力する。認証識別子生成部は、会員識別子およびパスワードが登録会員識別子および登録パスワードと合致したとの確認結果が出されたときに、当開催のみに有効な認証識別子を生成する。認証識別子送信部は、認証識別子生成部で生成された認証識別子を送信する。携帯端末は、認証識別子受信部および表示部を有する。認証識別子受信部は、認証識別子送信部が送信した認証識別子を受信する。表示部は、せり操作を行うせり端末でチェックインするときおよび落札した車両の出庫手続を行う出庫受付端末で受付をするときに使用するために認証識別子受信部が受信した認証識別子を表示する。
【発明の効果】
【０００７】
上記構成の中古車せりシステムは、バイヤーの会員がせり会場にある受付端末で来場者登録の受付をして初めてその開催に限り有効な認証識別子が発行され、その認証識別子でせり端末および出庫受付端末を利用するので、会員カードを使用することによる様々な問題点を排除できるという利点がある。
【図面の簡単な説明】
【０００８】
【図１】第１の実施の形態の中古車せりシステムを示す図である。
【図２】第２の実施の形態の中古車せりシステムの全体の構成例を示す図である。
【図３】第２の実施の形態のせり端末の外観を示す図である。
【図４】第２の実施の形態のせり端末のハードウェア構成例を示す図である。
【図５】第２の実施の形態の受付端末の外観を示す図である。
【図６】第２の実施の形態の出庫受付端末の外観を示す図である。
【図７】第２の実施の形態の中古車せりシステムの機能を示す図である。
【図８】中古車せりシステムのデータ構成例を示す図であって、（Ａ）はサーバが管理するユーザ管理データテーブルの例を示し、（Ｂ）は会場アプリが管理する設定データテーブルの例を示している。
【図９】会場アプリの設定登録処理を示すフローチャートである。
【図１０】会場アプリ設定画面の例を示す図である。
【図１１】会場アプリ起動時の表示画面判定処理を示すフローチャートである。
【図１２】第２の実施の形態の中古車せりシステムが実行する受付時処理のシーケンス図である。
【図１３】受付端末の画面例を示す図であって、（Ａ）は受付待ち画面の例を示し、（Ｂ）は受付エラーの画面の例を示している。
【図１４】会場アプリの画面例を示す図であって、（Ａ）は会場アプリ来場受付画面の例を示し、（Ｂ）は会場アプリ来場受付完了画面の例を示している。
【図１５】第２の実施の形態の中古車せりシステムが実行するせり端末チェックイン処理のシーケンス図である。
【図１６】せり端末の画面例を示す図であって、（Ａ）はせり端末チェックイン待ち画面を示し、（Ｂ）はチェックイン直後のせり端末画面を示している。
【図１７】第２の実施の形態の中古車せりシステムが実行する出庫受付端末処理のシーケンス図である。
【図１８】出庫受付端末の画面例を示す図であって、（Ａ）は出庫受付待ち画面を示し、（Ｂ）は出庫受付エラー画面を示し、（Ｃ）は出庫受付完了画面を示している。
【図１９】第３の実施の形態の中古車せりシステムの機能を示す図である。
【図２０】第３の実施の形態の中古車せりシステムが実行する受付時処理のシーケンス図である。
【図２１】受付端末の画面例を示す図であって、（Ａ）は受付待ち画面の例を示し、（Ｂ）は受付エラー画面の例を示している。
【図２２】受付端末の画面例を示す図であって、（Ａ）はパスワード入力画面の例を示し、（Ｂ）はパスワードエラー画面の例を示し、（Ｃ）は受付完了画面の例を示している。
【図２３】受付端末から確認要求を受信したときのサーバの処理を示すフローチャートである。
【図２４】第３の実施の形態の中古車せりシステムが実行するせり端末チェックイン処理のシーケンス図である。
【図２５】せり端末の画面例を示す図であって、（Ａ）はチェックイン待ち画面を示し、（Ｂ）はチェックイン直後のせり端末画面を示している。
【図２６】第３の実施の形態の中古車せりシステムが実行する出庫受付端末処理のシーケンス図である。
【図２７】出庫受付端末の画面例を示す図であって、（Ａ）は出庫受付待ち画面を示し、（Ｂ）は出庫受付エラー画面を示し、（Ｃ）は出庫受付完了画面を示している。
【発明を実施するための形態】
【０００９】
以下、本発明の実施の形態を図面を参照して詳細に説明する。なお、各実施の形態は、矛盾のない範囲でそれぞれの実施の形態を部分的に組み合わせて実施することが可能である。
【００１０】
［第１の実施の形態］
図１は第１の実施の形態の中古車せりシステムを示す図である。
図１に示した第１の実施の形態の中古車せりシステム１は、受付端末２と、せり制御装置３と、携帯端末４とを備えている。ただし、この中古車せりシステム１は、バイヤーの会員５がせり会場に来場したときにせりに参加することができるようになるまでの構成のみを示している。
【００１１】
受付端末２は、せり会場の来場者入口に設置され、せり会場に来場した会員５が来場者登録の受付を行うものである。
せり制御装置３は、会員情報処理部３ａと、記憶部３ｂと、認証識別子生成部３ｃと、認証識別子送信部３ｄとを有している。会員情報処理部３ａは、会員５が当せり会場の会員登録をしたときに事前設定された会員識別子および本人確認用のパスワードを記憶部３ｂへ記憶する機能を有する。会員情報処理部３ａは、また、会員５が来場者登録の受付をしたときに会員５から提示された会員識別子およびパスワードが記憶部３ｂに記憶された会員識別子およびパスワードと合致するかどうかを判断する機能を有している。認証識別子生成部３ｃは、来場者登録の受付のときに会員５から提示された会員識別子およびパスワードに合致する会員識別子およびパスワードが記憶部３ｂにあると会員情報処理部３ａが判断したときに、当開催のみに有効な認証識別子を生成する。そして、認証識別子送信部３ｄは、認証識別子生成部３ｃで生成された認証識別子を当せり会場で来場者登録の受付をした会員５が所持する携帯端末４に送信する。
【００１２】
携帯端末４は、認証識別子受信部４ａおよび表示部４ｂを有している。認証識別子受信部４ａは、せり制御装置３の認証識別子送信部３ｄが送信した認証識別子を受信することができるものであり、表示部４ｂは、認証識別子受信部４ａが受信した認証識別子を表示する。会員５がせり操作を行うせり端末にチェックインするとき、表示部４ｂに表示された認証識別子が使用される。また、会員５が落札した車両の出庫手続を行う出庫受付端末の受付のときにも、表示部４ｂに表示された認証識別子が使用される。
【００１３】
上記構成の中古車せりシステム１によれば、実際にせり会場に来場した会員５である本人が来場者登録の受付を行い、そのときにせり制御装置３に提示した会員５の会員識別子およびパスワードに基づいて生成された認証識別子を会員５の携帯端末４に送信する。このため、せり会場に来場してからせり操作に必要な認証識別子を取得するまでの間に、会員５以外の他人が介在することはないので、他人によるなりすまし行為を防ぐことができる。また、会員カードを用いないシステムであるため、会員カード由来の不具合をすべてなくすことができる。
【００１４】
［第２の実施の形態］
図２は第２の実施の形態の中古車せりシステムの全体の構成例を示す図である。
第２の実施の形態の中古車せりシステム１０は、せり制御装置とするサーバ１１と、複数の受付端末１２と、複数のせり端末１３と、出庫受付端末１４と、調整人操作端末１５とを備え、互いにネットワーク１６によって通信可能に接続されている。中古車せりシステム１０は、また、この中古車せりシステム１０を備えたせり会場の会員であるバイヤー１７が所持するスマートフォン１８を備え、このスマートフォン１８とはデータ通信が可能なように接続されている。
【００１５】
サーバ１１は、中古車せり取引に関する処理を統括的に制御する。特に、サーバ１１は、バイヤー１７の会員情報の管理処理、認証識別子（以下、認証ＩＤ（identification）という）の発行処理、せり端末１３および出庫受付端末１４を使用する際の認証処理を行う。
【００１６】
受付端末１２は、バイヤー１７がせり会場に来場したときに来場者登録の受付を行う。せり端末１３は、来場者登録の受付をして認証を受けたバイヤー１７が応札を行うための応札操作の入力装置である。せり端末１３は、また、せり対象の中古車に関する情報、入札価格、せりの進行に関する情報を表示し、バイヤー１７は、その表示された情報に従って応札操作を行う。出庫受付端末１４は、落札した車両がある場合に、落札した車両の出庫に関する手続を行う。
【００１７】
調整人操作端末１５は、せり会場の主催者がせり取引の進行を制御するための操作端末である。ネットワーク１６は、せり会場に構築されたＬＡＮ（Local Area Network）とすることができ、さらに、せり会場でスマートフォン１８とのデータ通信を可能にする無線ＬＡＮやスマートフォン１８のデータ通信網などを含む。
【００１８】
スマートフォン１８は、せりに参加するバイヤー１７の携帯端末であり、会場アプリと呼ばれるアプリケーションソフトがインストールされている。この会場アプリは、受付端末１２で来場者登録の受付を行うとき、まず、受付ＵＲＬ（Uniform Resource Locator）情報を取得する。この受付ＵＲＬ情報は、その受付ＵＲＬ情報が埋め込まれた受付映像またはＱＲコード（登録商標）のような２次元バーコードの形態で受付端末１２に表示されている。会場アプリは、受付端末１２に表示されている受付映像またはＱＲコードを読み取って受付ＵＲＬ情報が示すリンク先のサーバ１１にアクセスし、あらかじめ設定しておいた会員識別子（以下、会員ＩＤという）と手入力したパスワードとをサーバ１１に通知する。会場アプリは、また、通知した会員ＩＤおよびパスワードに対応し、せりに参加する資格を有する会員であることを認証する認証識別子（以下、認証ＩＤという）の情報をサーバ１１から受け取ることができる。このとき、会場アプリが受け取った認証ＩＤは、スマートフォン１８の場面に認証画面としてＱＲコードの形態で表示される。せり端末１３では、その認証画面を読み取ることによりチェックイン処理が行われ、出庫受付端末１４でもその認証画面を読み取ることにより出庫受付処理が行われる。
【００１９】
なお、会場アプリが受付端末１２から取得する受付ＵＲＬ情報は、当開催のみに有効な情報であり、サーバ１１からせりが開催されるごとに異なる受付ＵＲＬ情報が通知される。これにより、せりに参加できるバイヤーは、あらかじめ会員登録をしている会員であって、開催日にせり会場に来場して来場者登録の受付を行った会員本人に限定することができる。また、受付ＵＲＬ情報は、せり開催中に随時変更するようにしてもよい。
【００２０】
図３は第２の実施の形態のせり端末の外観を示す図である。
せり会場は、大型モニタを正面に臨むようにして、せり参加者の応札席が設けられている。各応札席には、複数のせり端末１３が机上に備えられており、通常は、せり参加者ごとに１台のせり端末１３の使用が認められる。
【００２１】
せり端末１３は、モニタ２１と、タッチパネル２２と、応札スイッチ２３，２４と、ホルダ２５と、ウェブカメラ２６とを備えている。
モニタ２１は、所要の情報を表示する。タッチパネル２２は、モニタ２１が表示する内容に応じたタッチ操作による入力が行われる。ウェブカメラ２６は、チェックインの際に、スマートフォン１８の会場アプリが受信していた認証ＩＤの認証画像（ＱＲコード）を読み取るのに使用される。
【００２２】
応札スイッチ２３，２４は、応札操作を入力するスイッチである。応札スイッチ２３，２４は、モニタ２１の左右両側に備えられたホルダ２５に保持されていて、ホルダ２５から外して使用される。せり端末１３は、応札スイッチ２３，２４により、２つのせり取引が同時進行する場合に、各々のせり取引についての応札操作を可能にしている。
【００２３】
応札スイッチ２３，２４は、操作ボタン２３ａと、グリップ２３ｂと、ボタンガード２３ｃとを有し、せり参加者がグリップ２３ｂを片手で把持したときに、操作ボタン２３ａを親指により押下操作可能になっている。ボタンガード２３ｃは、操作ボタン２３ａの周囲を起立壁で囲い、操作ボタン２３ａの意図せぬ押下操作が防止されている。ボタンガード２３ｃの起立壁は、親指が操作ボタン２３ａに臨めるように、一部に切欠が設けられている。
【００２４】
図４は第２の実施の形態のせり端末のハードウェア構成例を示す図である。
せり端末１３は、処理装置２７、モニタ２１、タッチパネル２２、応札スイッチ２３，２４、ウェブカメラ２６を備える。
【００２５】
処理装置２７は、ＣＰＵ（Central Processing Unit）２７ａによって装置全体が制御されている。ＣＰＵ２７ａには、バス２７ｈを介してＲＡＭ（Random Access Memory）２７ｂ、ＨＤＤ（Hard Disk Drive）２７ｃ、通信インタフェース２７ｄ、グラフィック処理装置２７ｅ、入力インタフェース２７ｆおよび機器接続インタフェース２７ｇが接続されている。
【００２６】
ＲＡＭ２７ｂには、ＣＰＵ２７ａに実行させるＯＳ（Operating System）のプログラムやアプリケーションプログラムの少なくとも一部が一時的に格納される。また、ＲＡＭ２７ｂには、ＣＰＵ２７ａによる処理に必要な各種データが格納される。ＨＤＤ２７ｃには、ＯＳやアプリケーションプログラムが格納されている。
【００２７】
グラフィック処理装置２７ｅには、モニタ２１が接続されている。グラフィック処理装置２７ｅは、ＣＰＵ２７ａからの命令に従って、せりの進行具合に応じた画像をモニタ２１に表示させる。
【００２８】
入力インタフェース２７ｆには、タッチパネル２２、応札スイッチ２３，２４、ウェブカメラ２６が接続されている。入力インタフェース２７ｆは、タッチパネル２２、応札スイッチ２３，２４、ウェブカメラ２６から送られてくる信号をバス２７ｈを介してＣＰＵ２７ａに送信する。機器接続インタフェース２７ｇは、ＵＳＢ（Universal Serial Bus）フラッシュメモリなどの可搬型記録媒体２８との接続を可能にしている。機器接続インタフェース２７ｇは、可搬型記録媒体２８から読み込んだ情報をＨＤＤ２７ｃに格納したり、ＨＤＤ２７ｃに格納されている情報を可搬型記録媒体２８に書き込んだりする。
【００２９】
通信インタフェース２７ｄは、ネットワーク１６に接続されている。通信インタフェース２７ｄは、サーバ１１または調整人操作端末１５との間でネットワーク１６を介してデータの送受信を行う。
【００３０】
以上のようなハードウェア構成によって、本実施の形態のせり端末１３の処理機能を実現することができる。なお、サーバ１１、受付端末１２、出庫受付端末１４および調整人操作端末１５においても、せり端末１３の処理装置２７と同様の内部構成を有している。また、スマートフォン１８も、せり端末１３の処理装置２７と同様の内部構成を有しているが、当然ながら、ＨＤＤ２７ｃに相当する装置は、同じ機能を有する不揮発性の半導体メモリが使用され、そこに会場アプリのプログラムが格納されている。
【００３１】
図５は第２の実施の形態の受付端末の外観を示す図である。
受付端末１２は、せり会場の入口に設けられて、せりに参加する会員の入場者登録の受付をする。受付端末１２は、モニタ３１と、タッチパネル３２と、ウェブカメラ３３とを備えている。
【００３２】
モニタ３１は、受付の手続をするときに必要な受付ＵＲＬ情報を受付映像またはＱＲコードで表示する。タッチパネル３２は、モニタ３１が表示する内容に応じたタッチ操作による入力が行われる。ウェブカメラ３３は、主として、保安上の記録のために受付をした会員を撮影しておくためのものである。
【００３３】
図６は第２の実施の形態の出庫受付端末の外観を示す図である。
出庫受付端末１４は、落札した車両を搬出するときに、出庫の受付をする。出庫受付端末１４は、モニタ４１と、タッチパネル４２と、ウェブカメラ４３とを備え、落札した車両の搬出手続に使用される出庫票を印刷するプリンタ４４が接続されている。
【００３４】
モニタ４１は、受付の手続をするときに必要なガイド情報を表示する。タッチパネル４２は、モニタ４１が表示する内容に応じたタッチ操作による入力が行われる。ウェブカメラ４３は、出庫手続をする際に、スマートフォン１８の会場アプリが受けていた認証ＩＤの認証画像（ＱＲコード）を読み取るのに使用される。
【００３５】
プリンタ４４は、落札した車両がある場合に、その車両を搬出するための手続書類である出庫票を印刷する。バイヤー１７は、この出庫票と引き替えに落札した車両を駐車場から搬出することができる。
【００３６】
図７は第２の実施の形態の中古車せりシステムの機能を示す図である。
この第２の実施の形態の中古車せりシステム１０は、サーバ１１と、受付端末１２と、スマートフォン１８とを備えている。
【００３７】
受付端末１２は、せり会場の来場者入口に設置され、せり会場に来場したバイヤー１７が来場者登録の受付をするのに必要な受付ＵＲＬ情報である受付映像またはＱＲコードを表示する。受付端末１２は、せりが開催されるたびに異なる受付ＵＲＬ情報がせり会場の開場直前にサーバ１１から通知される。
【００３８】
サーバ１１は、会員情報処理部１１ａと、データベース１１ｂと、認証ＩＤ生成部１１ｃと、認証ＩＤ送信部１１ｄと、受付ＵＲＬ生成部１１ｅとを有している。会員情報処理部１１ａは、バイヤー１７が当せり会場の会員登録をしたときに事前設定された会員ＩＤおよび本人確認用のパスワードをデータベース１１ｂへ格納する機能を有する。データベース１１ｂでは、会員ＩＤおよびパスワードを含む各種情報がユーザ管理データテーブル１１ｆによって管理されている。会員情報処理部１１ａは、また、バイヤー１７が所持するスマートフォン１８にインストールされている会場アプリ１８ａから会員ＩＤおよびパスワードの確認要求があったときにその確認処理をする機能を有している。この確認処理では、会場アプリ１８ａから通知された会員ＩＤおよびパスワードがデータベース１１ｂに格納された登録会員ＩＤおよび登録パスワードと合致するかどうかを判断する。認証ＩＤ生成部１１ｃは、会場アプリ１８ａから通知された会員ＩＤおよびパスワードに合致する会員ＩＤおよびパスワードがデータベース１１ｂにあると会員情報処理部１１ａが判断したときに、当開催のみに有効な認証ＩＤを生成する。そして、認証ＩＤ送信部１１ｄは、認証ＩＤ生成部１１ｃで生成された認証ＩＤを有効期限の情報と共にスマートフォン１８の会場アプリに送信する。
【００３９】
スマートフォン１８は、会場アプリ１８ａとその設定データテーブル１８ｂを有している。会場アプリ１８ａは、受付端末１２に表示されている受付ＵＲＬ情報をスマートフォン１８のカメラ機能を用いて読み取る。会場アプリ１８ａは、また、サーバ１１に対して本人確認を要求する処理と、サーバ１１から通知された認証ＩＤを受け取る機能を有する。会場アプリ１８ａは、さらに、スマートフォン１８の画面に認証ＩＤの画像（ＱＲコード）を表示させることにより、せり端末１３にチェックインするときにウェブカメラ２６による認証ＩＤの画像読み取りを可能にする。出庫受付端末１４で出庫受付をするときも同様に、会場アプリ１８ａは、スマートフォン１８の画面に認証ＩＤの画像（ＱＲコード）を表示させることにより、出庫受付端末１４のウェブカメラ４３による認証ＩＤの画像読み取りを可能にする。
【００４０】
図８は中古車せりシステムのデータ構成例を示す図であって、（Ａ）はサーバが管理するユーザ管理データテーブルの例を示し、（Ｂ）は会場アプリが管理する設定データテーブルの例を示している。
【００４１】
サーバ１１が管理するユーザ管理データテーブル１１ｆは、会員ＩＤ、会員名、パスワード、メールアドレス、使用言語、来場登録日時、当開催用認証ＩＤ、認証ＩＤ有効期限などの情報を対応付けて格納している。
【００４２】
ユーザ管理データテーブル１１ｆに格納された会員ＩＤ、会員名、パスワード、メールアドレスおよび使用言語は、当せり会場に会員登録をしたときに事前設定され、来場登録日時、当開催用認証ＩＤおよび認証ＩＤ有効期限は、来場者登録の際に設定される。
【００４３】
会場アプリ１８ａが管理する設定データテーブル１８ｂは、会員ＩＤ、会員名、使用言語、当開催用認証ＩＤ、認証ＩＤ有効期限などの情報を対応付けて格納している。設定データテーブル１８ｂに格納された会員ＩＤ、会員名および使用言語は、会場アプリ１８ａが当せり会場の事前設定を行ったときに設定される。当開催用認証ＩＤおよび認証ＩＤ有効期限は、会場アプリ１８ａがサーバ１１から認証ＩＤとその有効期限が通知されたときに設定される。
【００４４】
次に、会場アプリ１８ａの設定登録処理について説明する。
図９は会場アプリの設定登録処理を示すフローチャート、図１０は会場アプリ設定画面の例を示す図である。
【００４５】
［ステップＳ１］会場アプリ１８ａは、設定登録処理を開始すると、図１０に示したような設定画面１８ａ１になる。この設定画面１８ａ１には、会員ＩＤ欄１８ａ２、使用言語欄１８ａ３、登録ボタン１８ａ４、会員名欄１８ａ５、メッセージ欄１８ａ６および閉じるボタン１８ａ７が表示されている。この会場アプリ１８ａの設定登録処理は、スマートフォン１８のＣＰＵが登録ボタン１８ａ４の押下を検出することによって開始される。
【００４６】
［ステップＳ２］スマートフォン１８のＣＰＵは、会場アプリ１８ａの会員ＩＤ欄１８ａ２に表示されている値と設定データテーブル１８ｂに設定されている会員ＩＤの値とが同じであるかどうかを判断する。会員ＩＤ欄１８ａ２の値と設定データテーブル１８ｂの会員ＩＤの値とが同じでなければ、処理はステップＳ３に進められ、同じであれば、処理はステップＳ７に進められる。
【００４７】
［ステップＳ３］スマートフォン１８のＣＰＵは、会員ＩＤ欄１８ａ２に表示されている会員ＩＤの確認要求をサーバ１１に送信する。
［ステップＳ４］スマートフォン１８のＣＰＵは、サーバ１１から受信した会員ＩＤの確認・登録結果がＯＫかどうかを判断する。会員ＩＤの確認・登録結果がＯＫでなければ、処理はステップＳ５に進められ、会員ＩＤの確認・登録結果がＯＫであれば、ステップＳ６に進められる。
【００４８】
［ステップＳ５］スマートフォン１８のＣＰＵは、「会員ＩＤが確認できませんでした。」なるメッセージを設定画面のメッセージ欄１８ａ６に表示して、この会場アプリ１８ａの設定登録処理を終了する。
【００４９】
［ステップＳ６］スマートフォン１８のＣＰＵは、設定データテーブル１８ｂに会員ＩＤとサーバ１１から受信した会員名を格納し、設定画面の会員名欄１８ａ５に会員名を表示する。
【００５０】
［ステップＳ７］スマートフォン１８のＣＰＵは、使用言語欄１８ａ３の値と設定データテーブル１８ｂの使用言語の値は同じかどうかを判断する。使用言語欄１８ａ３の値が設定データテーブル１８ｂの使用言語の値と相違した場合、処理はステップＳ８に進められ、使用言語欄１８ａ３の値が設定データテーブル１８ｂの使用言語の値と同じである場合、処理はステップＳ１１に進められる。
【００５１】
［ステップＳ８］スマートフォン１８のＣＰＵは、使用言語欄１８ａ３の値が設定データテーブル１８ｂの使用言語の値と相違した場合、サーバ１１に会員ＩＤと使用言語の登録要求を送信する。
【００５２】
［ステップＳ９］スマートフォン１８のＣＰＵは、サーバ１１から使用言語の登録完了を受信する。
［ステップＳ１０］スマートフォン１８のＣＰＵは、設定データテーブル１８ｂに会員使用言語を格納する。
【００５３】
［ステップＳ１１］スマートフォン１８のＣＰＵは、設定データテーブル１８ｂの認証ＩＤ有効期限は現在日時より後かどうかを判断する。認証ＩＤ有効期限が現在日時より後の場合、処理はステップＳ１２に進められ、認証ＩＤ有効期限が現在日時より後でない場合、処理はステップＳ１３に進められる。
【００５４】
［ステップＳ１２］スマートフォン１８のＣＰＵは、設定データテーブル１８ｂに認証ＩＤがあるかどうかを判断する。設定データテーブル１８ｂに認証ＩＤがある場合、処理はステップＳ１５に進められ、設定データテーブル１８ｂに認証ＩＤがない場合、処理はステップＳ１３に進められる。
【００５５】
［ステップＳ１３］スマートフォン１８のＣＰＵは、設定データテーブル１８ｂの認証ＩＤ有効期限と認証ＩＤをクリアする。
［ステップＳ１４］スマートフォン１８のＣＰＵは、使用言語でアプリタイトルに会員名を入れ、来場受付画面を表示して、この会場アプリ１８ａの設定登録処理を終了する。
【００５６】
［ステップＳ１５］スマートフォン１８のＣＰＵは、使用言語でアプリタイトルに会員名を入れ、来場受付完了画面を表示して、この会場アプリ１８ａの設定登録処理を終了する。
【００５７】
次に、会場アプリ１８ａが起動するときの表示画面判定処理について説明する。
図１１は会場アプリ起動時の表示画面判定処理を示すフローチャートである。
［ステップＳ２１］会場アプリ１８ａが起動するときの表示画面判定処理では、まず、スマートフォン１８のＣＰＵは、会場アプリを起動する。
【００５８】
［ステップＳ２２］スマートフォン１８のＣＰＵは、設定データテーブル１８ｂに会員ＩＤと使用言語があるかどうかを判断する。設定データテーブル１８ｂに会員ＩＤと使用言語がない場合、処理はステップＳ２３に進められ、設定データテーブル１８ｂに会員ＩＤと使用言語がある場合、処理はステップＳ２４に進められる。
【００５９】
［ステップＳ２３］スマートフォン１８のＣＰＵは、図１０に示した設定画面１８ａ１を表示して、この会場アプリ１８ａの表示画面判定処理を終了する。
［ステップＳ２４］スマートフォン１８のＣＰＵは、設定データテーブル１８ｂの認証ＩＤ有効期限は現在日時より後かどうかを判断する。認証ＩＤ有効期限が現在日時より後の場合、処理はステップＳ２５に進められ、認証ＩＤ有効期限が現在日時より後でない場合、処理はステップＳ２６に進められる。
【００６０】
［ステップＳ２５］スマートフォン１８のＣＰＵは、設定データテーブル１８ｂに認証ＩＤがあるかどうかを判断する。認証ＩＤがない場合、処理はステップＳ２６に進められ、認証ＩＤがある場合、処理はステップＳ２８に進められる。
【００６１】
［ステップＳ２６］スマートフォン１８のＣＰＵは、設定データテーブル１８ｂの認証ＩＤ有効期限と認証ＩＤをクリアする。
［ステップＳ２７］スマートフォン１８のＣＰＵは、使用言語でアプリタイトルに会員名を入れ、来場受付画面を表示して、この会場アプリ１８ａの表示画面判定処理を終了する。
【００６２】
［ステップＳ２８］スマートフォン１８のＣＰＵは、使用言語でアプリタイトルに会員名を入れ、来場受付完了画面を表示して、この会場アプリ１８ａの表示画面判定処理を終了する。
【００６３】
次に、中古車せりシステムが実行する受付時処理について説明する。
図１２は第２の実施の形態の中古車せりシステムが実行する受付時処理のシーケンス図である。図１３は受付端末の画面例を示す図であって、（Ａ）は受付待ち画面の例を示し、（Ｂ）は受付エラーの画面の例を示している。図１４は会場アプリの画面例を示す図であって、（Ａ）は会場アプリ来場受付画面の例を示し、（Ｂ）は会場アプリ来場受付完了画面の例を示している。
【００６４】
［ステップＳ３１］せり会場が開場する前に、サーバ１１では、その受付ＵＲＬ生成部１１ｅが当開催のみに有効な受付ＵＲＬ情報を生成し、生成した受付ＵＲＬ情報を受付端末１２に送信する。
【００６５】
［ステップＳ３２］受付端末１２では、その処理装置のＣＰＵがモニタ３１にサーバ１１から受信した受付ＵＲＬ情報を表示させる。この受付ＵＲＬ情報は、図１３（Ａ）に示した受付待ち画面３１ａの例では、ＱＲコード３１ａ１および受付映像３１ａ２である。ＱＲコード３１ａ１は、受付ＵＲＬ情報を表す２次元バーコードであり、受付映像３１ａ２は、映像に受付ＵＲＬ情報が埋め込まれた電子透かしである。ＱＲコード３１ａ１および受付映像３１ａ２は、いずれも、会場アプリ１８ａの検出機能または会場アプリ１８ａによって呼び出される検出ソフトによって受付ＵＲＬ情報が復元される。
【００６６】
［ステップＳ３３］バイヤー１７が会場アプリ１８ａを起動すると、会場アプリ１８ａは、図１４（Ａ）に示した会場アプリ来場受付画面１８ｃを表示させる。バイヤー１７がスマートフォン１８のカメラを受付端末１２にかざすと、会場アプリ１８ａは、受付端末１２の受付待ち画面から受付ＵＲＬ情報を読み取る。続いて、会場アプリ１８ａは、会員ＩＤ欄１８ａ２に入力されている会員ＩＤの値を、読み取った受付ＵＲＬ情報のリンク先に送信する。
【００６７】
［ステップＳ３４］サーバ１１では、その会員情報処理部１１ａが会員ＩＤを受信すると、会員情報処理部１１ａはデータベース１１ｂに合致する会員ＩＤがあるかを確認する。ここで、データベース１１ｂ内に、受信した会員ＩＤに合致する会員ＩＤがあった場合、会員情報処理部１１ａは会員ＩＤの確認結果と使用言語情報を会場アプリ１８ａに送信する。もし、受信した会員ＩＤに合致する会員ＩＤがなかった場合には、その確認結果を受けた会場アプリ１８ａは、図１３（Ｂ）に示す受付エラー画面３１ｂを表示する。この受付エラー画面３１ｂでは、正しい会員ＩＤの入力をして受付ＵＲＬ情報の再読み取りを促すメッセージが表示される。
【００６８】
［ステップＳ３５］会場アプリ１８ａは、会員ＩＤの確認結果と使用言語情報を受信すると、本人確認用のパスワード入力画面を使用言語で表示させる。
［ステップＳ３６］バイヤーが本人確認用のパスワードを入力すると、会場アプリ１８ａは、会員ＩＤとパスワードの確認要求をサーバ１１に送信する。
【００６９】
［ステップＳ３７］サーバ１１の会員情報処理部１１ａが会場アプリ１８ａから会員ＩＤとパスワードを受信すると、会員情報処理部１１ａは受信した会員ＩＤとパスワードに合致する会員ＩＤとパスワードがデータベース１１ｂにあるかを確認する。合致した会員ＩＤとパスワードがデータベース１１ｂにあれば、認証ＩＤ生成部１１ｃが認証ＩＤを生成し、生成された認証ＩＤは、有効期限と共に会員情報処理部１１ａがデータベース１１ｂに格納する。すなわち、認証ＩＤは、ユーザ管理データテーブル１１ｆの当開催用認証ＩＤの欄に格納され、有効期限は、ユーザ管理データテーブル１１ｆの認証ＩＤ有効期限の欄に格納される。生成された認証ＩＤおよび有効期限は、認証ＩＤ送信部１１ｄによって会場アプリ１８ａに送信される。
【００７０】
［ステップＳ３８］会場アプリ１８ａは、受信した認証ＩＤと有効期限を会場アプリ１８ａの設定データテーブル１８ｂに格納する。この会場アプリ１８ａでは、認証ＩＤは、設定データテーブル１８ｂの当開催用認証ＩＤの欄に格納され、有効期限は、設定データテーブル１８ｂの認証ＩＤ有効期限の欄に格納される。
【００７１】
［ステップＳ３９］会場アプリ１８ａは、図１４（Ｂ）に示したように、会場アプリ来場受付完了画面１８ｄを表示させる。この会場アプリ来場受付完了画面１８ｄでは、認証ＩＤ画像１８ｄ１が有効期限情報１８ｄ２と共に表示されている。この例では、認証ＩＤ画像１８ｄ１は、ＱＲコードが用いられている。
【００７２】
次に、バイヤー１７がせり端末１３を使用開始するときに実行されるチェックイン処理について説明する。
図１５は第２の実施の形態の中古車せりシステムが実行するせり端末チェックイン処理のシーケンス図、図１６はせり端末の画面例を示す図であって、（Ａ）はせり端末チェックイン待ち画面を示し、（Ｂ）はチェックイン直後のせり端末画面を示している。
【００７３】
［ステップＳ４１］チェックイン処理がなされていないせり端末１３では、そのモニタ２１に、図１６（Ａ）に示したようなせり端末チェックイン待ち画面２１ａが表示されている。
【００７４】
［ステップＳ４２］バイヤー１７は、まず、会場アプリ１８ａを起動し、せり端末チェックイン待ち画面２１ａの案内に従って、認証ＩＤ画像１８ｄ１を表示した会場アプリ来場受付完了画面１８ｄ（図１４（Ｂ）参照）をせり端末１３のウェブカメラ２６にかざす。せり端末１３では、ウェブカメラ２６が読み取った会場アプリ来場受付完了画面１８ｄの認証ＩＤ画像１８ｄ１を認証ＩＤとして受信し、受信した認証ＩＤをサーバ１１へ送信する。
【００７５】
［ステップＳ４３］サーバ１１は、認証ＩＤを受信すると、データベース１１ｂのユーザ管理データテーブル１１ｆを参照し、当開催用認証ＩＤの欄に認証ＩＤに合致する有効な認証ＩＤがあるかを確認する。ここで、有効な認証ＩＤがあった場合、サーバ１１は、認証ＩＤの確認結果と使用言語情報をせり端末１３へ送信する。
【００７６】
［ステップＳ４４］せり端末１３は、図１６（Ｂ）に示すチェックイン直後のせり端末画面２１ｂを使用言語で表示する。なお、データベース１１ｂに認証ＩＤに合致する有効な認証ＩＤがなかった場合、せり端末１３は、せり端末チェックイン待ち画面２１ａにチェックインエラーの表示をする。せり端末１３は、また、会場アプリ１８ａが当会場の認証ＩＤ画像１８ｄ１を表示していることを確認後、再度、認証ＩＤ画像１８ｄ１の読み取りを促すメッセージを表示する。
【００７７】
次に、バイヤー１７が落札した車両を出庫するときに出庫受付端末が実行する出庫受付端末処理について説明する。
図１７は第２の実施の形態の中古車せりシステムが実行する出庫受付端末処理のシーケンス図、図１８は出庫受付端末の画面例を示す図であって、（Ａ）は出庫受付待ち画面を示し、（Ｂ）は出庫受付エラー画面を示し、（Ｃ）は出庫受付完了画面を示している。
【００７８】
［ステップＳ５１］出庫受付端末１４は、待機状態にあるとき、図１８（Ａ）に示したように、モニタ４１に出庫受付待ち画面４１ａを表示している。
［ステップＳ５２］バイヤー１７は、まず、会場アプリ１８ａを起動し、出庫受付端末出庫受付待ち画面４１ａの案内に従って、認証ＩＤ画像１８ｄ１を表示した会場アプリ来場受付完了画面１８ｄ（図１４（Ｂ）参照）を出庫受付端末１４のウェブカメラ４３にかざす。出庫受付端末１４では、ウェブカメラ４３が読み取った会場アプリ来場受付完了画面１８ｄの認証ＩＤ画像１８ｄ１を認証ＩＤとして受信し、受信した認証ＩＤをサーバ１１へ送信する。
【００７９】
［ステップＳ５３］サーバ１１は、認証ＩＤを受信すると、データベース１１ｂのユーザ管理データテーブル１１ｆを参照し、当開催用認証ＩＤの欄に認証ＩＤに合致する有効な認証ＩＤがあるかを確認する。ここで、有効な認証ＩＤがあった場合、サーバ１１は、認証ＩＤの確認結果と落札車両情報と使用言語情報を出庫受付端末１４へ送信する。
【００８０】
［ステップＳ５４］出庫受付端末１４は、図１８（Ｃ）に示す出庫受付完了画面４１ｃを使用言語で表示する。この出庫受付完了画面４１ｃは、落札車両情報と出庫票の印刷に関するメッセージを表示している。なお、データベース１１ｂに認証ＩＤに合致する有効な認証ＩＤがなかった場合、出庫受付端末１４は、図１８（Ｂ）に示す出庫受付エラー画面４１ｂを表示する。
【００８１】
なお、この第２の実施の形態では、受付端末が発行する受付ＵＲＬ情報は、せり端末１３および出庫受付端末１４を使用するたびに変更されるワンタイム情報とすることもできる。この場合、来場者登録の受付を済んだ会員であれば、本人確認用のパスワードによる確認を省略することができる。
【００８２】
また、受付ＵＲＬ情報は、受付ＵＲＬ情報を表す１次元バーコードや受付ＵＲＬ情報が埋め込まれた受付画像または受付音声としてもよい。
さらに、バイヤー１７が所持するスマートフォン１８は、会場アプリを実行することができ、受付ＵＲＬ情報を読み込むカメラ機能およびサーバ１１とのデータ通信が可能な通信機能を有するものであれば、他の携帯端末でもよい。
【００８３】
［第３の実施の形態］
図１９は第３の実施の形態の中古車せりシステムの機能を示す図である。この図１９において、第２の実施の形態の図７に示した構成要素と同じまたは均等の構成要素については同じ符号を付してその詳細な説明は省略する。また、中古車せりシステムの全体の構成は、図２に示した構成と同じであるので、せり端末１３および出庫受付端末１４を説明する場合は、図２を参照するものとする。
【００８４】
第３の実施の形態の中古車せりシステム１０ａは、来場者登録の受付の際に、バイヤー１７が会員ＩＤおよびパスワードの入力を受付端末１２で行い、認証ＩＤをバイヤー１７が所持するスマートフォン１８で受け取る構成にしている。
【００８５】
この第３の実施の形態の中古車せりシステム１０ａは、サーバ１１と、受付端末１２と、スマートフォン１８とを備えている。
受付端末１２は、せり会場の来場者入口に設置され、せり会場に来場したバイヤー１７が会員ＩＤおよびパスワードを入力して来場者登録の受付をする。
【００８６】
サーバ１１は、会員情報処理部１１ａと、データベース１１ｂと、認証ＩＤ生成部１１ｃと、認証ＩＤ送信部１１ｄとを有している。会員情報処理部１１ａは、バイヤー１７が当せり会場の会員登録をしたときに設定された会員ＩＤ、本人確認用のパスワードおよびメールアドレスをデータベース１１ｂへ格納する機能を有する。データベース１１ｂでは、会員ＩＤ、パスワードおよびメールアドレスを含む各種情報がユーザ管理データテーブル１１ｆによって管理されている。このユーザ管理データテーブル１１ｆは、図８（Ａ）に示したものと同じである。会員情報処理部１１ａは、また、受付端末１２から会員ＩＤおよびパスワードの確認要求があったときにその確認処理をする機能を有している。この確認処理では、受付端末１２から通知された会員ＩＤおよびパスワードがデータベース１１ｂに格納された登録会員ＩＤおよび登録パスワードと合致するかどうかを判断する。認証ＩＤ生成部１１ｃは、受付端末１２から通知された会員ＩＤおよびパスワードがデータベース１１ｂに格納されている値と合致していると会員情報処理部１１ａが判断したときに、当開催のみに有効な認証ＩＤを生成する。そして、認証ＩＤ送信部１１ｄは、認証ＩＤ生成部１１ｃで生成された認証ＩＤを有効期限の情報と共にユーザ管理データテーブル１１ｆに設定されているメールアドレス宛に電子メールで送信する。
【００８７】
スマートフォン１８は、メールソフト１８ｅを有し、このメールソフト１８ｅに受信設定されているメールアドレスは、会員登録時にサーバ１１のユーザ管理データテーブル１１ｆに設定されている。メールソフト１８ｅが受信したサーバ１１からの電子メールを開封することにより、認証ＩＤの情報を知ることができ、その認証ＩＤは、せり端末１３にチェックインするとき、および、出庫受付端末１４で出庫受付をするときに用いることができる。
【００８８】
図２０は第３の実施の形態の中古車せりシステムが実行する受付時処理のシーケンス図である。図２１は受付端末の画面例を示す図であって、（Ａ）は受付待ち画面の例を示し、（Ｂ）は受付エラー画面の例を示している。図２２は受付端末の画面例を示す図であって、（Ａ）はパスワード入力画面の例を示し、（Ｂ）はパスワードエラー画面の例を示し、（Ｃ）は受付完了画面の例を示している。
【００８９】
［ステップＳ６１］せり会場が開場しているとき、受付端末１２は、そのモニタ３１の受付待ち画面を表示している。図２１（Ａ）に示した受付待ち画面３１ｃの例では、会員ＩＤを入力するソフトウェアテンキー３１ｃ１と、入力された会員ＩＤを表示する会員ＩＤ欄３１ｃ２と、入力取消ボタン３１ｃ３と、受付ボタン３１ｃ４とが表示されている。この受付待ち画面３１ｃに対してバイヤー１７がソフトウェアテンキー３１ｃ１を押下することで会員ＩＤが入力される。入力された会員ＩＤは、会員ＩＤ欄３１ｃ２に表示される。会員ＩＤ欄３１ｃ２に表示された会員ＩＤを確認し、バイヤー１７が受付ボタン３１ｃ４を押下することで、受付端末１２は、会員ＩＤの確認要求をサーバ１１に送る。
【００９０】
［ステップＳ６２］サーバ１１では、その会員情報処理部１１ａが会員ＩＤの確認要求を受信すると、会員情報処理部１１ａは、データベース１１ｂに合致する会員ＩＤがあるかを確認する。ここで、データベース１１ｂ内に、受信した会員ＩＤに合致する会員ＩＤがあった場合、会員情報処理部１１ａは、会員ＩＤの確認結果と使用言語情報を受付端末１２に送信する。もし、受信した会員ＩＤに合致する会員ＩＤがなかった場合、その確認結果を受けた受付端末１２では、そのＣＰＵが図２１（Ｂ）に示す受付エラー画面３１ｄを表示させる。受付エラー画面３１ｄでは、会員ＩＤを再入力して受付ボタン３１ｃ４の押下を促すメッセージが表示される。この場合、バイヤー１７は、会員ＩＤの再入力をして受付ボタン３１ｃ４を押下すればよい。
【００９１】
［ステップＳ６３］受付端末１２が会員ＩＤの確認結果と使用言語情報を受信すると、受付端末１２は、図２２（Ａ）に示すパスワード入力画面３１ｅを使用言語で表示させる。このパスワード入力画面３１ｅの例では、パスワードを入力するソフトウェアキーボード３１ｅ１と、入力されたパスワードの入力桁数を表示するパスワード欄３１ｅ２と、送信ボタン３１ｅ３とが表示されている。バイヤー１７が本人確認用のパスワードを入力すると、受付端末１２は、会員ＩＤとパスワードの確認要求をサーバ１１に送信する。
【００９２】
［ステップＳ６４］サーバ１１の会員情報処理部１１ａが受付端末１２から会員ＩＤとパスワードを受信すると、会員情報処理部１１ａは受信した会員ＩＤとパスワードに合致する会員ＩＤとパスワードがデータベース１１ｂにあるかを確認する。データベース１１ｂに合致した会員ＩＤとパスワードがあれば、認証ＩＤ生成部１１ｃが認証ＩＤを生成し、生成された認証ＩＤは、有効期限と共に会員情報処理部１１ａがデータベース１１ｂに格納する。生成された認証ＩＤおよび有効期限は、認証ＩＤ送信部１１ｄにより、データベース１１ｂに設定されているメールアドレス宛に電子メールで送信される。なお、データベース１１ｂに合致した会員ＩＤとパスワードがなかった場合、会員情報処理部１１ａは、会員ＩＤとパスワードの確認要求に対する確認結果を受付端末１２に送信する。受付端末１２は、図２２（Ｂ）に示すパスワードエラー画面３１ｆを表示し、パスワードの再入力と送信ボタン３１ｅ３の押下を促すメッセージを表示する。この場合、バイヤー１７は、パスワードの入力の再入力をして送信ボタン３１ｅ３を押下すればよい。
【００９３】
［ステップＳ６５］バイヤー１７は、受信した電子メールを開封し、認証ＩＤと有効期限を確認する。この電子メールによって取得された認証ＩＤは、テキストデータであり、せり端末１３にチェックインするとき、および、出庫受付端末１４で出庫受付をするときにバイヤー１７によってせり端末１３、および、出庫受付端末１４に入力される。
【００９４】
［ステップＳ６６］受付端末１２は、生成された認証ＩＤおよび有効期限がバイヤー１７に正常に送信された旨の確認結果をサーバ１１から受信すると、図２２（Ｃ）に示す受付完了画面３１ｇを表示する。この受付完了画面３１ｇには、「登録したメールアドレスへ認証ＩＤを送信しました。」なるメッセージが表示され、所定時間後に、受付端末１２は、受付待ち画面３１ｃに戻る。
【００９５】
次に、サーバ１１が受付端末１２から確認要求を受信したときのサーバ１１の処理について説明する。
図２３は受付端末から確認要求を受信したときのサーバの処理を示すフローチャートである。
【００９６】
［ステップＳ７１］サーバ１１の会員情報処理部１１ａは、受付端末１２から確認要求を受信する。
［ステップＳ７２］サーバ１１の会員情報処理部１１ａは、受信した確認要求が会員ＩＤのみかどうかを判断する。確認要求が会員ＩＤのみの場合、処理はステップＳ７３に進み、確認要求が会員ＩＤのみでない場合、処理はステップＳ７６に進む。
【００９７】
［ステップＳ７３］サーバ１１の会員情報処理部１１ａは、確認要求の会員ＩＤがデータベース１１ｂの会員ＩＤと合致しているかを判断する。会員ＩＤが合致している場合、処理はステップＳ７４に進み、会員ＩＤが合致していない場合、処理はステップＳ７５に進む。
【００９８】
［ステップＳ７４］サーバ１１の会員情報処理部１１ａは、会員ＩＤが確認されたことを受付端末１２へ送信して、このサーバ１１の処理を終了する。
［ステップＳ７５］サーバ１１の会員情報処理部１１ａは、エラーが発生したことを受付端末１２へ送信して、このサーバ１１の処理を終了する。
【００９９】
［ステップＳ７６］サーバ１１の会員情報処理部１１ａは、確認要求の会員ＩＤおよびパスワードがデータベース１１ｂの会員ＩＤおよびパスワードと合致しているかを判断する。会員ＩＤおよびパスワードが合致している場合、処理はステップＳ７７に進み、会員ＩＤおよびパスワードが合致していない場合、処理はステップＳ７５に進む。
【０１００】
［ステップＳ７７］サーバ１１の認証ＩＤ生成部１１ｃは、当開催用のみ有効な認証ＩＤを生成する。
［ステップＳ７８］サーバ１１の会員情報処理部１１ａは、データベース１１ｂのユーザ管理データテーブル１１ｆの来場登録日時の欄に現在時刻を格納し、当開催用認証ＩＤの欄に生成した認証ＩＤを格納し、認証ＩＤ有効期限の欄に当開催の営業終了時間を格納する。
【０１０１】
［ステップＳ７９］サーバ１１の認証ＩＤ送信部１１ｄは、生成された認証ＩＤおよび有効期限をデータベース１１ｂのユーザ管理データテーブル１１ｆに設定されているメールアドレス宛に電子メールで送信する。
【０１０２】
［ステップＳ８０］サーバ１１の会員情報処理部１１ａは、認証ＩＤ送信完了を受付端末１２へ送信して、このサーバ１１の処理を終了する。
次に、バイヤー１７がせり端末１３を使用開始するときに実行されるチェックイン処理について説明する。
【０１０３】
図２４は第３の実施の形態の中古車せりシステムが実行するせり端末チェックイン処理のシーケンス図、図２５はせり端末の画面例を示す図であって、（Ａ）はチェックイン待ち画面を示し、（Ｂ）はチェックイン直後のせり端末画面を示している。
【０１０４】
［ステップＳ８１］チェックイン処理がなされていないせり端末１３は、図２５（Ａ）に示したせり端末チェックイン待ち画面２１ｃをモニタ２１に表示している。このチェックイン待ち画面２１ｃには、認証ＩＤを入力するソフトウェアテンキー２１ｃ１と、入力された認証ＩＤを表示する認証ＩＤ欄２１ｃ２と、入力取消ボタン２１ｃ３と、チェックインボタン２１ｃ４とが表示されている。
【０１０５】
［ステップＳ８２］バイヤー１７は、このせり端末チェックイン待ち画面２１ｃのソフトウェアテンキー２１ｃ１を押下操作することで認証ＩＤを入力する。入力された認証ＩＤは、認証ＩＤ欄２１ｃ２に表示される。バイヤー１７が認証ＩＤ欄２１ｃ２に表示された認証ＩＤを確認し、チェックインボタン２１ｃ４を押下することで、せり端末１３は、認証ＩＤの確認要求をサーバ１１に送る。
【０１０６】
［ステップＳ８３］サーバ１１は、認証ＩＤを受信すると、データベース１１ｂのユーザ管理データテーブル１１ｆを参照し、当開催用認証ＩＤの欄に認証ＩＤに合致する有効な認証ＩＤがあるかを確認する。ここで、有効な認証ＩＤがあった場合、サーバ１１は、認証ＩＤの確認結果と使用言語情報をせり端末１３へ送信する。
【０１０７】
［ステップＳ８４］せり端末１３は、図２５（Ｂ）に示すチェックイン直後のせり端末画面２１ｄを使用言語で表示する。なお、せり端末１３は、データベース１１ｂに認証ＩＤに合致する有効な認証ＩＤがないとの確認結果を受信した場合、せり端末チェックイン待ち画面２１ｃにチェックインエラーの表示をする。せり端末１３は、チェックインエラーの表示では、認証ＩＤの再入力およびチェックインボタン２１ｃ４の押下を促すメッセージを表示する。
【０１０８】
次に、バイヤー１７が落札した車両を出庫するときに出庫受付端末１４が実行する出庫受付端末処理について説明する。
図２６は第３の実施の形態の中古車せりシステムが実行する出庫受付端末処理のシーケンス図、図２７は出庫受付端末の画面例を示す図であって、（Ａ）は出庫受付待ち画面を示し、（Ｂ）は出庫受付エラー画面を示し、（Ｃ）は出庫受付完了画面を示している。
【０１０９】
［ステップＳ９１］出庫受付端末１４は、待機状態にあるとき、図２７（Ａ）に示したように、モニタ４１に出庫受付待ち画面４１ｄを表示している。この出庫受付待ち画面４１ｄには、認証ＩＤを入力するソフトウェアテンキー４１ｄ１と、入力された認証ＩＤを表示する認証ＩＤ欄４１ｄ２と、入力取消ボタン４１ｄ３と、出庫受付ボタン４１ｄ４とが表示されている。
【０１１０】
［ステップＳ９２］バイヤー１７は、この出庫受付待ち画面４１ｄのソフトウェアテンキー４１ｄ１を押下操作することで認証ＩＤを入力する。入力された認証ＩＤは、認証ＩＤ欄４１ｄ２に表示される。バイヤー１７が認証ＩＤ欄４１ｄ２に表示された認証ＩＤを確認し、出庫受付ボタン４１ｄ４を押下することで、出庫受付端末１４は、認証ＩＤの確認要求をサーバ１１に送る。
【０１１１】
［ステップＳ９３］サーバ１１は、認証ＩＤを受信すると、データベース１１ｂのユーザ管理データテーブル１１ｆを参照し、当開催用認証ＩＤの欄に認証ＩＤに合致する有効な認証ＩＤがあるかを確認する。ここで、有効な認証ＩＤがあった場合、サーバ１１は、認証ＩＤの確認結果と使用言語情報を出庫受付端末１４へ送信する。
【０１１２】
［ステップＳ９４］出庫受付端末１４は、図２７（Ｃ）に示す出庫受付完了画面４１ｆを使用言語で表示する。この出庫受付完了画面４１ｆは、落札車両情報と出庫票の印刷に関するメッセージを表示し、プリンタ４４により出庫票が印刷される。なお、データベース１１ｂに認証ＩＤに合致する有効な認証ＩＤがなかった場合、出庫受付端末１４は、図２７（Ｂ）に示す出庫受付エラー画面４１ｅを表示する。出庫受付端末１４は、出庫受付エラーの表示では、認証ＩＤの再入力および出庫受付ボタン４１ｅ４の押下を促すメッセージを表示する。
【０１１３】
なお、上述の実施の形態は、実施の形態の要旨を逸脱しない範囲内において種々の変更を加えることができる。さらに、上述の実施の形態は、多数の変形、変更が当業者にとって可能であり、説明した正確な構成および応用例に限定されるものではない。
【符号の説明】
【０１１４】
１  中古車せりシステム
２  受付端末
３  せり制御装置
３ａ  会員情報処理部
３ｂ  記憶部
３ｃ  認証識別子生成部
３ｄ  認証識別子送信部
４  携帯端末
４ａ  認証識別子受信部
４ｂ  表示部
５  会員
１０，１０ａ  中古車せりシステム
１１  サーバ
１１ａ  会員情報処理部
１１ｂ  データベース
１１ｃ  認証ＩＤ生成部
１１ｄ  認証ＩＤ送信部
１１ｅ  受付ＵＲＬ生成部
１１ｆ  ユーザ管理データテーブル
１２  受付端末
１３  せり端末
１４  出庫受付端末
１５  調整人操作端末
１６  ネットワーク
１７  バイヤー
１８  スマートフォン
１８ａ  会場アプリ
１８ａ１  設定画面
１８ａ２  会員ＩＤ欄
１８ａ３  使用言語欄
１８ａ４  登録ボタン
１８ａ５  会員名欄
１８ａ６  メッセージ欄
１８ａ７  閉じるボタン
１８ｂ  設定データテーブル
１８ｃ  会場アプリ来場受付画面
１８ｄ  会場アプリ来場受付完了画面
１８ｄ１  認証ＩＤ画像
１８ｄ２  有効期限情報
１８ｅ  メールソフト
２１  モニタ
２１ａ  せり端末チェックイン待ち画面
２１ｂ  チェックイン直後のせり端末画面
２１ｃ  せり端末チェックイン待ち画面
２１ｃ１  ソフトウェアテンキー
２１ｃ２  認証ＩＤ欄
２１ｃ３  入力取消ボタン
２１ｃ４  チェックインボタン
２１ｄ  チェックイン直後のせり端末画面
２２  タッチパネル
２３，２４  応札スイッチ
２３ａ  操作ボタン
２３ｂ  グリップ
２３ｃ  ボタンガード
２５  ホルダ
２６  ウェブカメラ
２７  処理装置
２７ａ  ＣＰＵ
２７ｂ  ＲＡＭ
２７ｃ  ＨＤＤ
２７ｄ  通信インタフェース
２７ｅ  グラフィック処理装置
２７ｆ  入力インタフェース
２７ｇ  機器接続インタフェース
２７ｈ  バス
２８  可搬型記録媒体
３１  モニタ
３１ａ  受付待ち画面
３１ａ１  ＱＲコード
３１ａ２  受付映像
３１ｂ  受付エラー画面
３１ｃ  受付待ち画面
３１ｃ１  ソフトウェアテンキー
３１ｃ２  会員ＩＤ欄
３１ｃ３  入力取消ボタン
３１ｃ４  受付ボタン
３１ｄ  受付エラー画面
３１ｅ  パスワード入力画面
３１ｅ１  ソフトウェアキーボード
３１ｅ２  パスワード欄
３１ｅ３  送信ボタン
３１ｆ  パスワードエラー画面
３１ｇ  受付完了画面
３２  タッチパネル
３３  ウェブカメラ
４１  モニタ
４１ａ  出庫受付待ち画面
４１ｂ  出庫受付エラー画面
４１ｃ  出庫受付完了画面
４１ｄ  出庫受付待ち画面
４１ｄ１  ソフトウェアテンキー
４１ｄ２  認証ＩＤ欄
４１ｄ３  入力取消ボタン
４１ｄ４  出庫受付ボタン
４１ｅ  出庫受付エラー画面
４１ｅ４  出庫受付ボタン
４１ｆ  出庫受付完了画面
４２  タッチパネル
４３  ウェブカメラ
４４  プリンタ
【図１】
2018181011.tif 000003
【図２】
2018181011.tif 000004
【図３】
2018181011.tif 000005
【図４】
2018181011.tif 000006
【図５】
2018181011.tif 000007
【図６】
2018181011.tif 000008
【図７】
2018181011.tif 000009
【図８】
2018181011.tif 000010
【図９】
2018181011.tif 000011
【図１０】
2018181011.tif 000012
【図１１】
2018181011.tif 000013
【図１２】
2018181011.tif 000014
【図１３】
2018181011.tif 000015
【図１４】
2018181011.tif 000016
【図１５】
2018181011.tif 000017
【図１６】
2018181011.tif 000018
【図１７】
2018181011.tif 000019
【図１８】
2018181011.tif 000020
【図１９】
2018181011.tif 000021
【図２０】
2018181011.tif 000022
【図２１】
2018181011.tif 000023
【図２２】
2018181011.tif 000024
【図２３】
2018181011.tif 000025
【図２４】
2018181011.tif 000026
【図２５】
2018181011.tif 000027
【図２６】
2018181011.tif 000028
【図２７】
2018181011.tif 000029